Podtech/llm-jp-corpus-v4-ja_patent huggingface dataset:
(57)【要約】【課題】限りある資源を消費して今日の繁栄を享受している人類は、夢のエネルギ−としていた原子力は、制御不能の災害をもたらしているのは、日々メデアの報じる通りです。【解決手段】島国の我国では、海の巻波の上下運動を、陸地に設けた、シリンダ−のピストンを水平運動で、真水を循環運動するようにして、この途中に発電機を設置した、超長期連続運転発電装置改の提供。【選択図】図２
2018141457.tif 000002
【特許請求の範囲】
【請求項１】
海の波の上下運動を、陸地に設けたピストンの往復運動に変え、設置した真水を循環させ、この途中に設置した発電機を駆動するように設けた、超長期連続運転発電装置改。
【発明の詳細な説明】
【技術分野】
【０００１】本発明は、一般の家庭や、需要先に安価に電力の供給を図つた発電装置に関する、
【背景技術】
【０００２】従来、海水を利用するのは、舟の運行、製塩業、潮流発電等が少数有るくらいである。
【発明の概要】
【発明が解決しようとする課題】
【０００３】これは次のよな２つの欠点があつた
（１）利用出来る海の現象は、人がコントロ−ル困難な、自然現象であるからである。
（２）付設設備が海と、海辺に跨がり、金属腐蝕の問題。
【課題を解決するための手段】
【０００６】（１）の解決手段＝海２で発生する巻波２０（文献等精査しましたが  適当な言葉が見当りません、便宜上以下巻波と記載致します）を利用して、波乗りプレ−ト６で捕えた上下運動を、陸地３に設けた、ピストン１１の往復運動の、吸入、排出運動で上部真水タンク１４の真水を循環させ、この間に発電装置１９を設けたものである。
（２）海２と陸地３に亙つて適宜のエリアに、大波や、台風等を想定した、強固で長年の使用に耐えるように、コンクリ−ト等で固めた基礎１の上に、腐蝕に強いものを要求されまさが、例えば、ステンレ−ス系ボ−ルビャ−リング両面シ−ル、構築物は、プラスチックコ−チングや、グラス−ル加工等、一度初期設備して、適宜の保守点検整備を行なえば、超長期連続運転発電装置改の完成である。【０００７】以下更に詳細に説明する。【０００８】この基礎１に、年間を通して巻波２０の最とも陸地側３に発生する位置より、陸地側３に、概略巻波３〜４個分位の位置に、直立させた基軸取付金具４を設ける。【０００９】基軸取付金具４には、直立して海岸線に直角に揺動する柱となる主揺動柱５を設ける。【００１０】主揺動柱５の、基軸取付金具４の同軸芯の位置に、波乗りプレ−ト６の基部を固着する【００１１】波乗りプレ−ト６の上下運動を、水平運動に変換するために、主揺動柱５の６０％位の高さの位置と、波乗りプレ−ト６の約８０％位の位置間を、連結プレ−ト７で固着する。【００１２】主揺動板柱５の上端は、シリンダ−８の給排水ピストン軸１０に、連結プレ−ト９を介して設ける。【００１３】シリンダ−８の、吸入パイプ１２は、上部真水プ−ル１４の、唯一の取水孔１５から取水して、発電後にタンク２１内に落下した、使用済み真水を回収して、循環運動を実現する。【００１４】吸入パイプ１２の取付孔の、シリンダ−８内壁には逆流坊止弁１６を設けて、ピストン１１の、排水行程時の逆流を防止する。【００１５】シリンダ−内８陸３側の上部には、上部真水タンク１４に注水する、注水パイプ１３を蜜着、先端は上部真水タンク１４の上端から離して設け、吸入行程時の吸上げを防止する。【００１６】本装置の構造上、ピストン１１の行程が長短となり送水量も多目、少な目となるので、多目に送水するように設ける、従って上部真水タンク１４は余裕をもって設ける。【００１７】上部真水タンク１４は、基礎１に設けられた橋脚１８の取付台１７に設置して、常に同一水量を保持するように設けて、唯一の取り込み口１５から取水して発電するので、発電装置が、常時一定ボルト、一定アンペアで発電して、電気の持つ諸々の短所、例えば、変圧等の必要無いのである。【００１８】本装置は、真水を落下させて発電装置を駆動するものであり、水量もさることながら、落差も必要であり、地形的に困難なときは、例えば櫓を設けて対応する。【００１９】本装置は、機材の腐蝕が甚大な海面辺りについては、腐蝕に強いものを要しますが、運動は、緩慢なので、例えば、ステンレス系ボ−ルビャ−リング両面シ−ル等を使用する、構築物は、プラスチックコ−チングや、グラス−ウ−ル加工等、一度初期設備して、適宜の保守を行なえば、超長期連続運転発電装置改の完成である。
【発明の効果】
【００２０】上述したように、本発明の、超長期連続運転発電装置改は、満ち汐、引き汐等を利用して、昼夜兼行、外界の状況に左右される事無く、運転されて創られる電力の実現で、安価に電気が半永久的に供給されるのである。
【図面の簡単な説明】
【００２１】
【図１】本発明の実施形態を示す、海水と真水利用の超長期連続運転発電装置改で、本図は引き汐で、波乗りプレ−トが陸地に接地しているときのの側面図。
【図２】本発明の実施形態を示す、海水と真水利用の超長期連続運転発電装置改の、波乗りプレ−トが、巻波を捕え、波乗りプレ−トが跳ね上がつた状態の図です。
【図３】シリンダ−を真半分にして、本発電装置要部の拡大図。
【発明を実施するための形態】
【００２２】以下、本発明の実施形態を図１〜図３に基づいて説明する。
【００２３】図１においては、引き汐で、波乗りプレ−ト６が、基礎１上に位置して、配備した諸機器が機能しない状態を示している。
【００２４】図２においては、差す汐で、発生した巻波２０で、Ｔ型定規にスキ−を履かせたような波乗りプレ−ト６が、跳ね上がる。
【００２５】主揺動柱５の揺動が連結小プレ−ト９により、陸地３に設けたシリンダ−８のピストンを押し上げて、上部真水のタンク内１４に真水を送致して、発電用の真水を空にならぬように補給する。
【００２６】巻波２０は、自然現象なので、上部真水タンク１４に送致する水量は、不規則になるので、真水タンク１４を大型にして、予想必要水量より多く送り、オ−バ−フロ−させる。常に一定水位と、唯一つの取水孔１５より取り水して、発電装置１４が、常時一定ボルト、一定アンペアで発電するようにして、電気が不得意で、これを調整するに為に要する諸々の付帯設備も不要で、本装置の目的とする、環境破壊せずに、自然エネルギ−だけで、発電機１９を回転させて、常安価な電気を安定して供給することである。
【図面の簡単な説明】
【００２７】
【図１】本発明の作動してない側面図である。
【図２】本発明の作動中の側面図である。
【図３】本発明のシリンダ−の断面図である。
【符号の説明】
【００２８】  １  基礎
２  海
３  陸
４  基軸取付金具
５  主揺動柱
６  波乗りプレ−ト
７  連結プレ−ト
８  シリンダ−
９  連結小プレ−ト
１０  ピストン軸
１１  ピストン
１２  給入パイプ
１３  排水パイプ
１４  上部真水タンク
１５  取水孔
１６  逆流逆止弁
１７  取付台
１８  橋脚
１９  発電装置
２０  巻波
２１  真水タンク
【図１】
2018141457.tif 000003
【図２】
2018141457.tif 000004
【図３】
2018141457.tif 000005
(57)【要約】【課題】単体の圧縮バネで荷重特性変化を段階的に設けようとすると、異なる荷重特性の複数のバネを組み合わせることが必要である。  しかしながら、複数のバネを組み合わせて使用する場合には、「機構が複雑になる」、「荷重特性の変化が生じる長さを変えるにはバネを都度作り直さなければならない」などの問題があった。【解決手段】不等長ピッチのピッチが変化する部分に密着巻のヒダを設ける。密着巻ヒダ部を壁に引っ掛けることにより、荷重特性の変化を起こさせるケース機構と組み合わせる。【選択図】図１
2018141551.tif 000002
【特許請求の範囲】
【請求項１】
不等長ピッチのピッチが変化する部分に密着巻のヒダを設けることを特徴とする圧縮バネと、密着巻ヒダ部を引っ掛けることにより荷重特性の変化を起こさせることを特徴とするケース機構。
【請求項２】
上記の密着巻ヒダ部に挿入することで荷重特性の変化をより明確にすることを特徴とする金属または樹脂製のプレート。
【請求項３】
２種類の外径を持つ不等長ピッチの圧縮バネを径の違いを利用して引っ掛けることにより荷重特性の変化を起こさせることを特徴とするケース機構。
【発明の詳細な説明】
【技術分野】
【０００１】  この発明は、圧縮バネを任意の伸長量で荷重特性変化させるバネ形状と機構に関する。
【背景技術】
【０００２】  通常、圧縮バネが伸長する時の荷重特性の変化は、大きな起伏の無い滑らかな曲線のグラフ（図４のグラフ１参照）として表わされる。荷重特性の変化に段階を設けようとすると、図２で示すバネ▲６▼、▲７▼のような異なる荷重特性の複数のバネを組み合わせることが必要である。
【発明の概要】
【発明が解決しようとする課題】
【０００３】  しかしながら、以上の技術によれば、複数のバネを組み合わせて使用する場合にはバネ同士が干渉しないようにするなど機構が複雑になる等の問題がある。
また、図２の伸長初期Ａ−２からバネ▲６▼が伸長し切るＢ−２までは、バネ▲６▼、▲７▼が同時に伸長するため、Ｃ−２でバネ▲７▼のみが伸長を始める長さはバネ▲６▼の自由長に影響を受ける。
つまり、二つのバネの荷重特性の切り替わり点を変化させるにはバネ▲６▼のバネの自由長をその都度に変えて作り直さなければならない。
そこで、この発明は単体のバネにより任意の伸長量で荷重特性の変化に段階を持たせることを課題とする。
【課題を解決するための手段】
【０００４】  以上の課題を解決するために、第一発明は、不等長ピッチのピッチが変化する部分に密着巻のヒダを設けることを特徴とする圧縮バネである。
また、第二発明は、上記の圧縮バネの密着巻ヒダ部を壁に引っ掛けることにより、荷重特性の変化を起こさせることを特徴とするケース機構である。
【発明の効果】
【０００５】  第一発明または第二発明によれば、単体の圧縮バネで任意の伸長量における荷重特性（図４のグラフ２参照）の変化を得ることが出来る。
【図面の簡単な説明】
【０００６】
【図１】この発明の一実施形態を示す断面図である。
【図２】従来技術を示す断面図である。
【図３】他の実施形態を示す断面図である。
【図４】通常の圧縮バネと発明されたバネの荷重変化を示すグラフである。
【発明を実施するための形態】
【０００７】  この発明の一実施形態を、図１に示す。
不等長ピッチバネ▲１▼にはピッチの狭いコイル部▲２▼とピッチの広いコイル部▲３▼があり、両者の間には巻数２巻以上の密着巻ヒダ部▲４▼を設ける。ピッチの狭いコイル部▲２▼はピッチの広いコイル部▲３▼と比較して同外径の場合、荷重値が低い。
密着巻ヒダ部▲４▼を引っ掛けて、コイル部▲３▼が設定された伸長量で制限されるケース▲５▼と組み合わせることで、２種類の荷重特性を明確に変化させることが出来る。
フルストロークからの伸長初期Ａ−１はコイル部▲２▼とコイル部▲３▼の荷重の合力が荷重値となるが、密着巻ヒダ部▲４▼がケース▲５▼の制限部に接触した時点Ｂ−１から、荷重の大きなコイル部▲３▼の力は制限され、コイル部▲２▼のみが伸長する（Ｃ−１）ので荷重値が大きく減少する。
この時、コイル部▲３▼が伸長し切ってしまわないようにバネ▲１▼、ケース▲５▼ともに設定しなければならない。また、コイル部▲２▼はコイル部▲３▼の圧縮が始まるまでに荷重値のピークに達しているように設計しなくてはならない。
【実施形態の効果】
【０００８】  この実施形態によれば、バネ▲１▼が伸長初期にはコイル部▲２▼及び▲３▼の荷重特性を示し、密着巻ヒダ部▲４▼がケース▲５▼の壁に接触するのを境にコイル部▲２▼の荷重特性を示す。
厳密には密着巻ヒダ部▲４▼に弾性があるため、荷重特性の変化は点ではないが、通常の不等長ピッチのバネでは得られない荷重特性の変化を示す。
より明確な荷重特性の変化は、密着巻ヒダ部▲４▼に金属または樹脂製のプレートを挿入することで得られる。
【他の実施形態】
【０００９】  図１の実施形態では、密着巻ヒダ部▲４▼があるバネをケース▲５▼で使用したが、他の実施形態  図３では、２種類の外径▲９▼、▲１０▼を持つ不等長ピッチの圧縮バネ▲８▼をケース▲１１▼で使用するものでも効果は得られる。（図３参照）
【符号の説明】
【００１０】▲１▼  不等長ピッチバネ          ▲２▼  狭いピッチコイル部
▲３▼  広いピッチコイル部        ▲４▼  密着巻ヒダ部
▲５▼  ケース                    ▲６▼  バネ
▲７▼  バネ                      ▲８▼  異なる外径を持つ不等長ピッチの圧縮バネ
▲９▼  バネ▲８▼の外径が小さくピッチが小さいコイル部
▲１０▼  バネ▲８▼の外径が大きくピッチが大きいコイル部
▲１１▼  ケース
Ａ−１  バネの伸長初期
Ｂ−１  密着巻ヒダ部▲４▼がケース▲５▼の壁に接触した時点
Ｃ−１  コイル部▲２▼が伸長する段階
Ａ−２  バネの伸長初期
Ｂ−２  バネ▲６▼が伸長し切った段階
Ｃ−２  バネ▲７▼のみが伸長する段階
Ａ−３  バネの伸長初期
Ｂ−３  コイル部▲１０▼がケース▲１１▼の壁に接触した時点
Ｃ−３  コイル部▲９▼が伸長する段階
【図１】
2018141551.tif 000003
【図２】
2018141551.tif 000004
【図３】
2018141551.tif 000005
【図４】
2018141551.tif 000006
(57)【要約】【課題】タコツボに付着した付着物を短時間で除去ムラの無い付着物除去作業を実現すること。【解決手段】一時に広い接触範囲と打撃範囲を得ることが出来る線状体を用い一体化構成した、丸アンドン形回転体の付着物除去器を考案した。【選択図】図１
2018075556.tif 000002
【特許請求の範囲】
【請求項１】
両端に抜け止めスリーブを有した１以上の線状体と、線状体を固定する上部固定部と下部固定部とさらに上部固定部と下部固定部を固定する軸とによって一体化構成した丸アンドン形回転体の付着物除去器。
【請求項２】
前記線状体は前記上部固定部と前記下部固定部の固定位置が対角になるように端部を固定することを特徴とする請求項１に記載の付着物除去器。
【発明の詳細な説明】
【技術分野】
【０００１】  本発明はタコツボの内面に付着した、付着物を除去する付着物除去器に関するものである。
【背景技術】
【０００２】  従来、タコツボの内面、外面の付着物を除去する際には、スクレバー状の手具、又は、市販品のブラシを電動ドリルに装着して、付着物の除去作業を行っている。
【発明の概要】
【発明が解決しようとする課題】
【０００３】  以上に述べた従来の除去作業では、作業時間がかかる。
特に内面の付着物除去作業は、狭いツボ口から手具を挿入して行う為、作業動作が制限され、外面に比べ作業時間がかかり、除去ムラが発生する。
又、多量のツボ数を処理する必要があるため、長期間の作業に及んでいる。【０００４】  本発明は、このような従来の作業方法が有していた問題を解決しようとする物であり、短時間で、除去ムラの少ない付着物除去作業を実現する事を課題とする。
【課題を解決するための手段】
【０００５】  本発明は、上記目的を達成する為に、タコツボ内面の形状に沿いやすく、又、広範囲に付着物に接触、打撃を与えられるよう、両端に抜け止めを有した１以上の複数の線状体と、線状体を固定する上部固定部、下部固定部、さらに上部固定部，下部固定部を固定する軸によって一体化構成した、丸アンドン形回転体の付着物除去器を考案した。【０００６】上記の解決手段による作用は次の通りである
丸アンドン形になるように両端を固定された丸アンドン形回転体の線状体は、本来の剛性に加え柔軟性と、形状復帰性を持つことが出来る。【０００７】    又、線状体を採用することにより、一時に広い接触範囲と打撃範囲を得る事ができる。【０００８】  さらに、外部から回転を付与する回転付与機に丸アンドン形回転体の軸を固定し、回転付与機を動作させると、丸アンドン形回転体が高速回転し、丸アンドン形回転体の線状体が高速で付着物に接触、打撃を加えることができる。
【発明の効果】
【０００９】  効果としては次の通りである。
本発明の付着物除去器は、前述にあるように柔軟性と形状復帰性を有しており、この機能により、口の狭いタコツボ入口では柔軟に変形する。
これにより付着物除去器のタコツボへの出し入れ作業が容易に出来る。【００１０】  又、タコツボ入口を通過した付着物除去器は形状復帰性の機能により、挿入前の複数の線状体で形成された丸アンドン形に戻る。【００１１】  さらに、この付着物除去器に高速回転を付与することで、従来の手具による線状繰返し付着物除去作業から面状高速付着物除去作業となり、付着物除去作業が短時間で、除去ムラの少ない作業が可能な付着物除去器を提供できる。
【図面の簡単な説明】
【００１２】
【図１】  本発明の実施形態を示す外観図
【図２】  線状体組品図
【図３】  線状体の固定位置関係図
【図４】  上部固定部の線状体挿入詳細図
【図５】  下部固定部の線状体挿入詳細図
【図６】  ツボ口での除去器線状体の変形状態図
【図７】  ツボ口通過後の除去器線状体の形状復帰状態図
【図８】  ツボ底へ押し当てたときの除去器線状体の変形状態図
【発明を実施するための形態】
【００１３】  以下、本発明の実施の状態を図１〜図８に基づいて説明する。
【００１４】  図１に示すように丸アンドン形になるよう、適切な長さに切断された線状体７を１本以上、複数本使用する。
【００１５】  尚、その線状体７には図２に示すよう、両端末には除去作業中、付着物の抵抗により、線状体７が上部固定部１，下部固定部２から抜けないよう、抜け止めスリーブ８が装着されている。
【００１６】  線状体７は図３に示すように上部固定部１と下部固定部２の線状体７の固定位置が対角になるように線状体７の端部を固定する。
【００１７】  図４は上部固定部１へ線状体７の端部を挿入した詳細図である。
【００１８】  図５は下部固定部２へ線状体７の端部を挿入した詳細図である。
【００１９】  前述００１４から００１８の方法を採用することにより、線状体７が持つ柔軟性、及び形状復帰性が生かされる丸アンドン形状の回転体が形成される
【００２０】  又、上部固定部１、下部固定部２とは小ネジ１３とナット１４により各々は一体化され、なおかつ除去作業における線状体７に懸かる抵抗により、上部固定部１，下部固定部２の線状体７の挿入部が開くのを防止する為、挿入部の近傍は複数箇所、結束バンド１２で強く締め付けられている。
【００２１】  さらに上部固定部１，下部固定部２と軸３は空回りを防止する為、複数個のホーローセット１５で軸３に固定されている。
これにより回転付与機１６と本発明品である丸アンドン形の回転体である付着物除去器１８が同期回転する
【００２２】  以下、付着物除去器１８の動作状態を図６、図７、図８でもって説明する。
【００２３】  図６は付着物除去器１８を回転させながらタコツボ１７のツボ口に押し込むと、回転体の線状体が柔軟に変形しながらタコツボ１７の付着物除去を行う状態図である。
この柔軟な変形特性により、狭いツボ口からの出し入れが容易になる。
【００２４】  図７は付着物除去器１８がタコツボ１７のツボ口通過後、回転体の線状体７が形状復帰性を発揮し、広いツボ内部で丸アンドン形に戻り、タコツボ１７の内側面の付着物除去を行う状態図である。
【００２５】  ［図８］は除去器を回転させながら底面に押し当てると、柔軟に底面、及び内側面に沿うように線状体７が変形し、底面と内側面を同時に付着物の除去を行う状態図である。
【００２６】  以上のように、本実施状態によれば短時間で、ムラの少ない高速回転面状の除去作業が可能になる。
【産業上の利用可能性】
【００２７】  タコ漁業におけるタコツボの付着物除去作業に利用可能である。
【符号の説明】
【００２８】  １  上部固定部
２  下部固定部
３  軸
４  取付ナットａ
５  抜止板ａ
６  横挿入材
７  線状体組品
８  抜け止スリーブ
９  取付ナットｂ
１０  縦挿入材
１１  抜止板ｂ
１２  結束バンド
１３  小ネジ
１４  ナット
１５  ホーローセット
１６  回転付与機
１７  タコツボ
１８  付着物除去器
【図１】
2018075556.tif 000003
【図２】
2018075556.tif 000004
【図３】
2018075556.tif 000005
【図４】
2018075556.tif 000006
【図５】
2018075556.tif 000007
【図６】
2018075556.tif 000008
【図７】
2018075556.tif 000009
【図８】
2018075556.tif 000010
(57)【要約】【課題】打つと音が響き、その音を楽しむ容器の提供を目的とする。【解決手段】音を鳴らして楽しむ容器であって、共鳴体と、当該共鳴体のスイートスポットに持ち手部を有することを特徴とする。【選択図】  図１
2018075345.tif 000002
【特許請求の範囲】
【請求項１】
音を鳴らして楽しむ容器であって、
共鳴体と、当該共鳴体のスイートスポットに持ち手部を有することを特徴とする共鳴体型容器。
【請求項２】
音を鳴らして楽しむ容器であって、
共鳴体と、当該共鳴体のスイートスポットに容器を連結したことを特徴とする共鳴体型容器。
【請求項３】
前記共鳴体は、コップ形状であることを特徴とする請求項１記載の共鳴体型容器。
【請求項４】
前記容器は、前記共鳴体と着脱自在に連結してあることを特徴とする請求項２記載の共鳴体型容器。
【発明の詳細な説明】
【技術分野】
【０００１】
りん、ベル等のように打つと音が響くとともに、容器としての機能を有する共鳴体型容器に関する。
【背景技術】
【０００２】
音が鳴る容器としては、例えば特許文献１に呼び鈴付グラスが開示されている。
しかし、同公報に開示するグラスはグラスを単に呼び鈴に嵌合しただけのものであり、グラス等の容器と共鳴体が一体化されたものではない。
【先行技術文献】
【特許文献】
【０００３】
【特許文献１】実開昭４９−５２８７５号公報
【発明の概要】
【発明が解決しようとする課題】
【０００４】
本発明は、打つと音が響き、その音を楽しむ容器の提供を目的とする。
【課題を解決するための手段】
【０００５】
本発明に係る共鳴体型容器は、音を鳴らして楽しむ容器であって、共鳴体と、当該共鳴体のスイートスポットに持ち手部を有することを特徴とする。
ここでスイートスポットとは、共鳴体が共振する際に振動の節となる部分をいい、この部分に持ち手部を取り付けることで、手で持っても共鳴体の振動にあまり影響を与えないことに着目した。
スイートスポットは、加振試験を行い振動モード解析を行うことで、その部位に存在することが容易に分かる。
【０００６】
また本発明は、音を鳴らして楽しむ容器であって、共鳴体と、当該共鳴体のスイートスポットに容器を連結したものでもよい。
連結方法としては一体的に連結してあってもよく、容器を共鳴体に着脱自在に連結してあってもよい。
【０００７】
ここで、容器である共鳴体及び共鳴体に連結した容器の代表例はコップである。
【発明の効果】
【０００８】
本発明に係る共鳴体型容器は、持ち手部を手で持っても共鳴体の共振節部に、この持ち手があるので共鳴音がよく響く容器となる。
従来は、グラスを振ると音が鳴る呼び鈴を付けたものであったが、本発明は祝宴等における乾杯等に際し、お互いに軽く打ち合うことで共鳴音がなり、その音を楽しむことができる。
【図面の簡単な説明】
【０００９】
【図１】コップ型の容器の例を示す。
【図２】共鳴体の底から持ち手部を形成した容器の例を示す。
【図３】共鳴体からなる容器の内側にコップを設けた例を示す。
【図４】内側のコップに持ち手部を形成した例を示す。
【図５】共鳴体の内側に設けたコップに口をつけやすいようにした容器の例を示す。
【発明を実施するための形態】
【００１０】
本発明に係る共鳴体型の容器の構造例を以下、図面に基づいて説明する。
本発明に係る容器に制限はないが、本実施例はコップに適用した例である。
【００１１】
図１は、コップ形状の容器１０である。
図１は、その断面図を示す。
容器１０は共鳴体である本体部１１の側部のスイートスポット１３となる位置に持ち手部１２を連結した例である。
スイートスポットは、容器の側部又は底部に存在する場合が多く、図１は側部の上下中央部付近のスイートスポットに持ち手部を設けた。
図２は、共鳴体からなる本体部１１ａの共振時に節となるスイートスポット１３を底部に形成することで、この底部から持ち手部１２を形成した例である。
共鳴体の本体部１１ａを円錐形状としたので、底部にスイートスポットがある。
図３は、共鳴体の本体部１１ｂの側部スイートスポット１３に持ち手部１２ａを形成するとともに、内側にコップを形成した例である。
図４は、共鳴体である本体部１１ｃの内側にグラス１４を取り付けた例であり、本体部１１ｃの側部にスリット１１１ｃを形成することで、このスリット１１１ｃからグラス１４の持ち手を突設した。
図４（ａ）は縦断面図、（ｂ）は横断面図である。
これによりグラスに飲料を入れた状態で取手１５を持っても、共鳴体からなる本体部のスイートスポット１３と、このグラスが連結されているので共鳴体を軽く打つと音が鳴り響く。
図５は、共鳴体である本体部１１ｄの底部から持ち手部１２ｂを形成するとともに、両側の側部に切り欠き部１１１ｄを形成することで内側のグラス１６に口をつけやすくした例である。
図５（ａ）は平面図、（ｂ）は外観斜視図、（ｃ）は断面図を示す。
本実施例で内側のグラスはガラス製でもよく、樹脂製のコップでもよい。
共鳴体は、ＳＵＳ，スズ，アルミ，黄銅等の金属製が好ましい。
本実施例は、コップ形状の容器で説明したが、各種容器に展開できる。
【符号の説明】
【００１２】
１０      容器
１１      本体部
１２      持ち手部
１３      スイートスポット
【図１】
2018075345.tif 000003
【図２】
2018075345.tif 000004
【図３】
2018075345.tif 000005
【図４】
2018075345.tif 000006
【図５】
2018075345.tif 000007
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
音を鳴らして楽しむ容器であって、
共鳴体と、当該共鳴体が共振する際に振動の節となる位置に持ち手部を有することを特徴とする共鳴体型容器。
【請求項２】
音を鳴らして楽しむ容器であって、
共鳴体と、当該共鳴体が共振する際に振動の節となる位置に容器を連結したことを特徴とする共鳴体型容器。
【請求項３】
前記共鳴体は、コップ形状であることを特徴とする請求項１記載の共鳴体型容器。
【請求項４】
前記容器は、前記共鳴体と着脱自在に連結してあることを特徴とする請求項２記載の共鳴体型容器。
(57)【要約】【課題】剣道練習者が一人でも試合稽古ができる剣道練習機を提供する。【解決手段】五節リンクと四節リンクとを組み合わせ、二つの機構の間に、剣（竹刀）の姿勢機構を調整する三関節の固定物が配置される装置とする。【選択図】図１
2018075342.tif 000002
【特許請求の範囲】
【請求項１】
脚部、体躯部、腕・肩部から構成される剣道練習機であって、前記腕・肩部の機構は５節閉リンク機構と４節リンク機構により構成され、前記５節閉リンクは、前記腕・肩部全体の運動のうちの、おもに上下と前後の動きを調整し、剣（短竹刀）の角度は、前記４節リンクのスライダ・クランク機構で実現することを特徴とする剣道練習機。
【発明の詳細な説明】
【技術分野】
【０００１】  本発明は、剣道の打ち込み台を使う練習者に対して、一人でも試合稽古ができる環境を提供する剣道練習装置、剣道練習装置の使用方法、及び剣道練習装置のプログラムに関する。
【背景技術】
【０００２】  従来の人型アーム機構は開ループ機構であり、人間と同じ関節の位置に駆動モータを設置している（特許文献１）。【０００３】
【特許文献１】特開２００１−６２０２０号
【発明の開示】
【発明が解決しようとする課題】
【０００４】  そのため、各関節にはモータが多く設置させており、ロボットの剣道動作速度が遅くなる。さらに、静止状態では、姿勢を維持するために、大きいエネルギーが必要であった。また、マシン全体のバランスはアームの関節自由度数が多いことにより、モータの重さで装置全体の重心がマシンの胴体からずれてしまい、不安定かつ危険であった。【０００５】  また、特許文献１の技術では、一種類の剣道打突動作しか生成できなかった。そのため、練習者としては、相手からの攻撃の予想は容易すぎた。それゆえ、十分な練習効果が上げられなかった。【０００６】
【課題を解決するための手段】
【０００７】  上記課題を解決するため、本発明の剣道練習機は、下から順に、脚部、体躯部、腕・肩部、頭部から構成される。【０００８】  そして、腕・肩部の機構は５節閉リンク機構と４節リンク機構により構成される。【０００９】  ５節閉リンクは、アーム全体の運動のうちの、おもに上下と前後の動きを調整する。剣（竹刀）の角度は、４節リンクのスライダ・クランク機構で実現する。この運動は、リンク１とリンク２のなす角が常に１８０度以下に維持していると、５節リンクの前後―上下運動は予測可能となる。【００１０】  また、４節リンク機構で剣の傾きを決定する。【００１１】  ５節閉リンクには２自由度があるが、リンクの重心があるため、リンクの運動方向を予測できる。また、駆動モータの重心が体躯部（柱；ＰＶ管）に近いため、機構全体のバランスは安定している。【００１２】  この機構は簡単であり、高価のモータを必要せずに、実際の短剣道と同じ打突動作が実現できる。さらに、リンクの駆動モータは３つだけにし、マシン重量を軽量化して、高速な短剣道打突軌道を生成できる。【００１３】  モータの数が少ないため、機構の故障も少なく、メインテナンスが容易である。【００１４】  また、剣の先端位置はリンクの長さで決まり、最大移動距離が固定できるため、モータの制御がうまく調整できない場合でも、対戦相手の人間にケガを負わせる心配がない。
【発明の効果】  本発明では、いわば剣道用の打ち込み台が反撃をできるように、機構を改善し、練習効果を向上させる装置として作用する。この機構の最大の特徴は、人間が剣（竹刀）を操作した時と同じ運動軌道を生成できることである。その結果、本発明の剣道練習機を使った剣道練習時には、トレーニング効果が向上する。
【発明を実施するための最良の形態】
【００１５】  以下に、本発明の一実施形態の例を、添付図面を参照しながら説明する。なお、本発明は以下の実施形態に限定されるものではない。
【実施例１】
【００１６】  図１及び図２に示すように、本実施例の剣道練習機には三つの駆動源が付いており、剣道練習者に対して打突動作を生成することができる。打突動作については、主に三種類の剣運動が生成できる。これらの動作の流れは図３から図５で説明する。【００１７】  まずは、図２の「面打ち」を説明する。図２の５に着けた駆動モータと図２の３のモータを同じ速度で回転することで、面打ちの運動が構成できる。【００１８】  そして、図４は剣道練習機による「喉突き」の流れを示している。まずリンクの角度θ１は約１８０度、θ４は約２７０度、θ３５は約９０度の初期状態に設置する。【００１９】  図２の５につけたモータと図２の４に着けたモータを時計周りに回転させると、五節リンクの一つであるリンク３は徐々前方かつ上方に上がる。すると、図２の３に着けたモータでリンク７の角度が傾斜するようになる。【００２０】  図５の「胴突き」動作の各リンクの初期位置はθ１は約２２５度、θ４は約２７０度、そしてθ７は約０度から、図２の２と５（五節リンクのモータ１と２）を時計周りに回転させ、胴突き動作の軌道を生成させる。【００２１】  図２の４は四節リンクの機構姿勢を調整するための固定物である。固定物の上に、一つは四節リンクの駆動モータを装着させる。そして、２番目の関節はリンクの駆動と連結させる。３番目の関節は竹刀の角度を調整するリンクとつながっている。固定物の種類は、三点関節の役割だけの効能が必要だが、特に三角形以外の形状であっても構わない。【００２２】  四節リンクの駆動モータは、姿勢調整の固定物の三点関節の一点に設置されている。そして、三点を剣道練習機の胴体に近い関節位置に設定する。これは、機構全体の重心をなるべく胴体に近くするためである。【００２３】  図２の６剣道練習機の胴体は、特に円筒形には限らず、胴体の役割は機構全体の高さを固定でき、五節リンクのモータを固定できるものなら、円筒形以外の形状であっても構わない。【００２４】  図２のリンク７にはスライダが付いている。スライダは竹刀の傾きを制御するリンクである。スライダの形状は直線のスライダだけではなく、曲線のスライダで加工されていてもよい。
【図面の簡単な説明】
【００２５】
【図１】実施例１の剣道練習機の機構を示す側面図である。
【図２】実施例１の剣道練習機全体および部品の説明図である。
【図３】剣道打突のうちの面打ち動作の生成例である。
【図４】剣道打突のうちの喉突き動作の生成例である。
【図５】剣道打突のうちの胴突き動作の生成例である。
【符号の説明】
【００２６】図２の１  四節リンクのスライダと竹刀の装着位置
図２の２  五節リンクの駆動モータ１
図２の３  四節リンクの駆動モータ
図２の４  四リンクの姿勢調整固定部
図２の５  五節リンクの駆動モータ２
図２の６  剣道マシン主体
図２の７  マシン基板
図２の８  前後移動用車輪
【図１】
2018075342.tif 000003
【図２】
2018075342.tif 000004
【図３】
2018075342.tif 000005
【図４】
2018075342.tif 000006
【図５】
2018075342.tif 000007
(57)【要約】【課題】宴席等で用いるのに好適な飲用容器の提供を目的とする。【解決手段】飲料を注ぐための容器部と、前記容器部を自立させるスタンド部とを備え、前記容器部とスタンド部とがマグネットで着脱自在に連結されていることを特徴とする。【選択図】  図１
2018075308.tif 000002
【特許請求の範囲】
【請求項１】
飲料を注ぐための容器部と、
前記容器部を自立させるスタンド部とを備え、
前記容器部とスタンド部とがマグネットで着脱自在に連結されていることを特徴とする飲用容器。
【請求項２】
飲料を注ぐための容器部と、
前記容器部を自立させるスタンド部とを備え、
前記容器部とスタンド部とが弾性体で連結されていることを特徴とする飲用容器。
【発明の詳細な説明】
【技術分野】
【０００１】
本発明は、祝宴等にて用いられるグラス等の飲用容器に関する。
【背景技術】
【０００２】
宴席等においては、グラス等に飲み物を注いで、乾杯と称して容器と容器とをお互いに軽く打ち付けて音を出すことが広く行われている。
例えば、特許文献１にグラスの脚部に中空部を形成し、その中に球状の打鈴体を入れたものが開示されている。
しかし、球が転がることで音が出るものであり、必ずしも宴席で好まれる音ではない。
【先行技術文献】
【特許文献】
【０００３】
【特許文献１】実開昭５９−１２５２７６号公報
【発明の概要】
【発明が解決しようとする課題】
【０００４】
本発明は、宴席等で用いるのに好適な飲用容器の提供を目的とする。
【課題を解決するための手段】
【０００５】
本発明に係る飲用容器は、飲料を注ぐための容器部と、前記容器部を自立させるスタンド部とを備え、前記容器部とスタンド部とがマグネットで着脱自在に連結されていることを特徴とする。
または、飲料を注ぐための容器部と、前記容器部を自立させるスタンド部とを備え、前記容器部とスタンド部とが弾性体で連結されていることを特徴とする。
【０００６】
本発明において飲用容器とは、飲料を注いで飲むための容器であれば、特に制限はない。
例えば、シャンパングラス，リキュールグラス，ビールグラス，清酒グラス，ワイングラス等のグラス類、ジュース等を飲むカップ類等が例として挙げられる。
材質は、ガラス製に限定されるものではなく、樹脂製，金属製，木製等でもよい。
【０００７】
本発明でスタンド部とは、グラス類，カップ類等を自立させるための脚部をいい、一般的には底面が平らな座部と、この座部から立設した支柱部とからなる。
【０００８】
本発明でマグネットで連結するとは、一方が磁石で他方が磁性体、あるいは両方が磁石であってもよい。
近年、ネオジウム磁石等、強力なマグネットも開発されている。
そこで、連結部端面にＳ極とＮ極とを交互に配設し、容器部とスタンド部とを相互にねじるように回転させることで、外せるようにしてもよい。
【０００９】
本発明で弾性体で連結するとは、容器部とスタンド部とをピアノ線やシャフト部材で弾性連結する態様、あるいは容器部とスタンド部とを嵌合し、この嵌合部にゴム等の弾性体を挟み込む態様が例として挙げられる。
【発明の効果】
【００１０】
本発明は、容器部とスタンド部とをマグネット又は弾性体で連結したので、次のような効果がある。
乾杯の際等に軽く打ち付けるだけで、音が出やすくなる。
その一方で、この連結部が衝撃を吸収するので、グラス類が割れにくくなる。
【図面の簡単な説明】
【００１１】
【図１】本発明に係るマグネット型飲用容器の例を示す。
【図２】本発明に係る弾性体型飲用容器の例を示す。
【図３】本発明に係る弾性嵌合型飲用容器の例を示す。
【発明を実施するための形態】
【００１２】
本発明に係る飲用容器の例を以下図面に基づいて説明するが、本発明は本実施例に限定されない。
【００１３】
図１は、容器部１１の底部にて、マグネットを用いてスタンド部１２と連結した例を示す。
スタンド部１２は、座部１２ａと細い支柱部１２ｂとからなる。
底部１２ａや支柱部１２ｂの形状に制限はない。
図１に示した例は、容器部１１の底部に取り付けたマグネット１３ａと支柱部１２ｂの上端面に取り付けたマグネット１３ｂとで連結した例になっているが、一方が磁石で他方が鉄等の磁性体であってもよい。
また、支柱部１２ｂの上端面と容器部の底面との一方に球面凹部、他方に球面凸部を形成することで、揺れやすくしてもよい。
【００１４】
図２は、容器部１１とスタンド部１２とを、ワイヤー状の弾性体１７で連結した例を示す。
弾性体１７は、コイル状，板状であってもよく、弾性体であれば金属製，樹脂製等、材質に制限はない。
また、弾性体１７の長さを調整できるようにしてもよい。
【００１５】
図３は、容器部１１とスタンド部１２のうち、一方にピン部を形成し、他方に凹部を形成するとともに、その嵌合部に弾性体を挟み込んだ例を示す。
図３に示した実施例は、容器部１１の底部にピン部１４を形成し、スタンド部１２側に凹部１５を形成するとともに、凹部１５の内側にリング状のゴムからなる弾性体を装着した例となっている。
【符号の説明】
【００１６】
１１      容器部
１２      スタンド部
１２ａ    座部
１２ｂ    支柱部
１３ａ    マグネット
１３ｂ    マグネット
１４      ピン部
１５      凹部
１６      弾性体
１７      弾性体
【図１】
2018075308.tif 000003
【図２】
2018075308.tif 000004
【図３】
2018075308.tif 000005
(57)【要約】【課題】現在は様式トイレが多く普及されて、洋式便器使用にて、便秘に悩んでいる方が多く便秘薬に頼っている方が多い為人によっては、持病もある為薬を飲んでいる方々もおられる一つでも薬を飲まないようにする為に排便介助用踏み台を作成する。【解決手段】斜頚部と平坦部からなる足置部で、足置部中央には切り欠き部が設けられ、足置部全面には滑り止めが設けられたことを特徴とする排便介助用踏み台【選択図】図１
2018075379.tif 000002
【特許請求の範囲】
【請求項１】
斜頚部と平坦部からなる足置部で、足置部中央には切り欠き部が設けられ、足置部全面には滑り止めが設けられたことを特徴とする排便介助用踏み台
【発明の詳細な説明】
【技術分野】
【０００１】本発明は、洋式便器用にて、便秘を改善する踏み台である。
【背景技術】
【０００２】特許文献１（特開２００５−０９５３４９）は、洋式便器使用時における脳溢血発生の抑制に配慮した排便姿勢の形成を補助する足置き台のものである。【０００３】特許文献２（特開２００４−３３７２２５）は、便所の床面の足踏み部に設置されるあしの甲部裏面を載置する。平板部と平板部に設けた床面のフード部側に設置される足の踵部を載置する。
膨出部で形成した踏み台であって、踏み台を便器の長手方向の側面に対て設置し、使用者の屈み及び又は起立時に、膨出部を支えとして平板部に荷重えおシフトして容易な屈み等を確保可能とした踏み台のものである。【０００４】特許文献３（実登３１７８５１９）は、洋式便器の両サイドに配置され使用者が体重で支えることが出来ると共に理想的な姿勢を保持できる構造を有する踏み台のものである。【０００５】特許文献４（実開平０５−０１３２９８）は、便座に座った際に足を載せることができる便器用補助装置と便器補助装置を収納することができる収納装置の踏み台である。
【先行技術文所献】
【特許文献１】
特開２００５−０９５３４９
【特許文献２】特開２００４−３３７２２５
【特許文献３】実登３１７８５１９
【特許文献４】実開平０５−０１３２９８
【０００６】
【発明の概要】
【発明が解決しようとする課題】
【０００７】上記問題点を解消するために特許文献１は、腰痛等、体の負重な方には、不便であるという問題がある。【０００８】特許文献１を取り付けするのに手間暇がかかり、修理するのに部品代等のコストがかかり一般家庭に普及が難しいという問題がある。【０００９】また、特許文献２は、土踏まずの部分に何もなく空間があり、つま先と踵部分に負担がかかり、長い時間使用には負担があるという問題がある。【００１０】特許文献３は発砲スチロールの素材ですので、耐久性に弱いまた、
水平部に足を載せることもできて水平部が高い場合は傾斜部に沿って載せることもできる。
高さ調整の必要がないが、水平部に乗せた時点でつま先は傾斜部から離れるという問題がある。【００１１】特許文献３特許文献４は高さを重視してる便秘解消に問題がある。【００１２】本発明は、上記の問題を解決し洋式トイレでも快便しやすい土台を使い快適な生活を目的とするものである。
【課題を解決するための手段】
【００１３】洋式トイレで排便する際に使用する本発明の排便介助用踏み台は高さ７センチ角度２０度で、床に置くことで排尿、排便がしやすいことを特徴とする。【００１４】また、排便介助用踏み台はプラスチック製品で、持ち運びが出来、傾斜部、平坦部は滑り止めとしてゴム製で凹凸で足の裏マッサージにもなることを特徴とする。【００１５】また、コストが低い、設置費用がかからない為一般家庭に普及しやすいことを特徴とする。
【発明の効果】
【００１６】本発明は、踏み台の高さ８センチで角度２０度もので排尿をするときは便器からはみ出ないものである。【００１７】また、踏み台側面部分に滑り止めのゴムが凹凸があるので、足つぼマッサージの役割にもなり特に足ふまずを刺激をすることにより腸内に良いとされる。
凹凸は、違和感のないように凸は柔らかいほうが良い
側面部分足を乗せる滑り止めゴムはシリコン的な素材は、水洗いしても汚れが残る為衛生的に悪いので、水洗いしても汚れが残らないタオルなどで拭き取れるゴム
ビーチサンダルのような素材が望ましい。【００１８】また本発明は、使用しないときは便器側に寄せることも出来て収納をしなくてもよいものである。
【図面の簡単な説明】
【００１９】
【図１】  本発明の斜視図である。
【図２】  本発明の断面図である。
【図３】  本発明の本体プラスチック製品斜視図である。
【発明を実施するための形態】
以下、本発明の実施の形態を説明する。
本発明の排便介助用踏み台は、平坦部、傾斜部に足を載せて排便をする。
【００２０】次に、前記排便介助用踏み台について図面に基づいて以下、説明する。
【００２１】図１は本発明の斜視図を示し、排便介助用踏み台は本体プラスチック製品耐久性のある物で風呂プラスチック製品の椅子の素材が望ましい排便介助用踏み台である。
【００２２】傾斜部と平坦部からなる足置部で、足置部には水洗が出来タオルなどで拭き取れるシリコン的でゴムなどの滑り止めが付いており滑り止めゴムは、凹凸がありマッサージの効果がある。
土踏まずに当たる部分は凹凸の長さが少し長い為土踏まずの箇所にも当たりマッサージになる。足置部中央には切り欠き部が設けられている排便介助用踏み台である。
【００２３】本体の底にも滑り止めのゴムがあるので、足を載せても本体がずれにくい排便介助用踏み台である。
【００２４】図２は本発明の断面図を示し、本体の内側は空洞になっており底面は開いていて、軽量化を示した排便介助用踏み台である。
【００２５】図３は本発明の斜視図を示し、本体のサイズを説明するものである。
【００２６】上記に基いて、本体の縦８センチ、横６５センチ、奥行３０センチ、切り次き部分は本体の中央部分に設けて横３５センチで奥行１５センチを取ることにより左右の足は１５センチの幅で均等に載せることができる構成排便介助用踏み台である。
【００２７】また、つま先部分を載せる平坦部分は、奥行１０センチ横６５センチ高さ１センチ土踏まず踵は１５センチ幅で傾斜部の角度２０度から２５度まで、つま先部分に対して土踏まず踵部分は２倍以上、奥行の長さ２１センチ構成排便介助用踏み台である。
【００２８】また、足を載せる部分の滑り止めゴム、本体底部分の滑り止めゴムは、０．５ミリ以上の物である構成排便介助用踏み台である。
【００２９】本発明の大きさはトイレの狭いところでも使用が出来るサイズで、片足に一つの構成排便介助用踏み台ではなく両足で一つの構成排便介助用踏み台に乗せられるように一体化になっている構成排便介助用踏み台である。
【符号の説明】
【００３０】１平坦部
２傾斜部
３切り欠き部
４滑り止め
５凹凸部分
【図１】
2018075379.tif 000003
【図２】
2018075379.tif 000004
【図３】
2018075379.tif 000005
(57)【要約】【課題】本発明は弱者、身体障害者、知能障害者、幼児が安全、安心して各自が目標を決めて、投球する技術、思考力、気力、勝負を競い合い各自の脳の活性化を促すことを目的とした遊具。【解決手段】本発明は、車輪１を設けた折たたみの出来るテーブル状平板２の上部四方の外周にボール３の落下を防止する立上げ部４を設け、前方部分に複数の穴５を設け、その穴５に難易度により得点を設け、競技者６がボールを穴５の中に投入するもぐらの穴うめ「ホールアウト」遊具を提供する。【選択図】図１
2018075327.tif 000002
【特許請求の範囲】
【請求項１】
本発明は足を設けた折タタミの出来るテ−ブル上の平らな部分に複数の穴をもうけ、その穴にボールを投入し競り合うことを特徴とするもぐらの穴うめ「ホールアウト」。
【請求項２】
本発明は、平らな部分に設けられた複数の穴、手前、中間部、奥部の各穴は投入する難易度が異なるため穴に得点数をあらかじめ定めて投入されたボールの得点を競り合うことを特徴とする請求項１記載のもぐらの穴うめ「ホールアウト」。
【請求項３】
本発明は、弱者。身体障害者、幼児、足腰が不自由な人が競い合う事があるため、手元からボールが落下したり、設けられたテーブル外にボールがそれたりし他人にケガが生じないように危険防止を最大に考慮し投球するボールはスポンジ製で、軽量かつやわらかなボールを使用する安全を重視したことを特徴とする請求項１〜２のいずれか１項に記載のもぐらの穴うめ「ホールアウト」。
【請求項４】
本発明は安価で小スペースで身体障害がある人、幼児、介護施設、老人ホーム、幼稚園、保育園等で多くの人が一同多数で楽しめ個人個人投入した得点を競い合うことを特徴とする請求項１〜３のいずれか１項に記載のもぐらの穴うめ「ホールアウト」。
【請求項５】
本発明の遊具は使用後、収納が容易に出来、かつ収納、移動が容易に出来る様、中央部から半分に折りタタミが出来移動が容易になる様、最下部足の部分に移動用の車を設け、収納移動が容易に出来ることを特徴とする請求項１〜４のいずれか１項に記載のもぐらの穴うめ「ホールアウト」。
【発明の詳細な説明】
【技術分野】
【０００１】  本発明は足を設けた折たたみの出来るテーブル状の平な部分に複数の穴を設けた穴の中にボールを投入する遊具である、設けられた穴は穴の位置により難易度を考慮し、あらかじめ定められた穴の得点数を競いあう遊具に関する。
【背景技術】
【０００２】  本発明は、弱者、身体害者、幼児、介護施設、老人ホーム等で、多くの人々が一同で施設内で安全かつ楽しく競いあう道具が少なく、又、安価で安全な遊具はあまり見当たらない状況である。
【先行技術文献】
【特許文献】
【０００３】
【特許文献１】  特開２００４−１８８１３８
【発明の概要】
【発明が解決しようとする課題】
【０００４】  本発明は弱者、身体障碍者、知能障害者、幼児が安全、安心し各自の目標（得点）投球する技術（思考力）、気力（勝負）を競い合い各自の脳の活性化を促す事、年々増加する高齢者施設の遊具として活用することを目的とした遊具。
【課題を解決するための手段】
【０００５】  本発明は、車輪１を設けた折たたみの出来るテーブル状の平板２の上部四方の外周にボール３の落下を防止する立上げ部４を設け、前方部分に複数の穴５を設け、その穴５に難易度により得点を設け、競技者６がボールを穴５の中に投入するもぐらの穴うめ「ホールアウト」遊具を提供する。
【発明の効果】
【０００６】  本発明は、設けられた複数の穴の位置により投球したボールが、難易度により穴の得点数が異なる様に穴に表示があることにより各自がより高い得点を得るようにする人間本来の３要素、目標得点、思考力技術、気力勝負が働き脳の活性化を推進する効果のある遊具。
【図面の簡単な説明】
【０００７】
【図１】  本体もぐらの穴うめ「ホールアウト」の全体図
【図２】  本体もぐらの穴うめ「ホールアウト」と篭の全体図
【図３】  本体前部の穴部の拡大図
【図４】  本体を折りたたんだ状態
【図５】  本体を１０〜１５度開いた状態
【図６】  本体を４５度位に開閉した状態
【発明を実施するための形態】
【０００８】  本発明は、足を設けた折りタタミの出来るテーブル状の平な部分に投入するボールが容易に入る複数の穴を設け、各穴のいちにより難易度により投入したボールの特典を合計し優劣を競いあう遊具。
【実施例】
【０００９】  本発明は多くの参加者が各自の取得した得点数を表示、発表する事により、人間本来の気力、活力目標を促進し、脳、知力の活性化に寄与する事がが可能な脳、気力、活性化する補助遊具。
【産業上の利用可能性】
【００１０】  弱者、身体障碍者、知能障害者、幼児が安全、安心して遊ぶことが出来る遊具で、高齢者が増加する将来、大いに産業上可能性があり、期待できる。
【符号の説明】
【００１１】  １  車輪
２  折りたたみテーブル状の平板
３  ボール
４  立上げ部
５  穴
６  競技者
７  布
８  篭
【図１】
2018075327.tif 000003
【図２】
2018075327.tif 000004
【図３】
2018075327.tif 000005
【図４】
2018075327.tif 000006
【図５】
2018075327.tif 000007
【図６】
2018075327.tif 000008